(57)【要約】
【課題】  脳波であるα波を増長する超音波空気清浄機を提供する。
【解決手段】  空気の吸込口と吹出口を有すると共に、内部にファン部材が設置される空気循環装置と、該空気循環装置の内部に設けられると共に、所定の頻度を発生する超音波発生装置とを備えることを特徴とする。
【選択図】  図１
0003101475.tif 000002
【実用新案登録請求の範囲】
【請求項１】
空気の吸込口と吹出口を有すると共に、内部にファン部材が設置される空気循環装置と、該空気循環装置の内部に設けられると共に、所定の頻度を発生する超音波発生装置とを備えることを特徴とする超音波空気清浄機。
【請求項２】
超音波発生装置は空気循環装置の交流電圧（１２０Ｖ／２３０Ｖ）を異なる直流電圧（５Ｖ／１２Ｖ）に変換するための降圧及び電圧安定回路と、該降圧及び電圧安定回路から出力する５Ｖの直流電圧と接続すると共に、周期頻度信号を発生する超音波周波発生回路と、夫々該降圧及び電圧安定回路から出力する１２Ｖの直流電圧及び該超音波周波発生回路と接続すると共に、異なる幅を有する頻度信号を発生する超音波発生回路と、該超音波発生回路の出力端と接続すると共に、超音波を発生する超音波発生器とを有することを特徴とする請求項１に記載の超音波空気清浄機。
【請求項３】
超音波発生装置によって発生する超音波の周波数範囲は３０ＫＨｚ〜６０ＫＨｚであり、又、空気循環装置により循環される空気を清浄化する空気清浄装置を備えていることを特徴とする請求項１又は２に記載の超音波空気清浄機。
【考案の詳細な説明】
【技術分野】
【０００１】
本考案は、特に脳波であるα波を増長する超音波空気清浄機（清浄器とも記載される）に関するものである。
【背景技術】
【０００２】
近年、空気が汚染され、そのような空気にはウイルスが存在しているため、接触するとウィルス感染により、病気になる恐れがある。このようなウィルス感染を防止するために、一般には空気中の塵埃やウィルスなどを濾過して取除く空気清浄機がよく使用されている。
【０００３】
又、従来の空気清浄機は様々な効果が具備されており、例えばマイナスイオンやオゾンなどを発生するもの、更には光触媒を採用したものもある。
【考案の開示】
【考案が解決しようとする課題】
【０００４】
しかしながら、上記従来の空気清浄機は人間に対して癒しの効果を提供することができない。又、研究データによっては、自然界には、人の耳では音として捉えられない超音波（超高周波音成分）が含まれており、この超音波は脳のα波を増長することができ、更に、該α波は心身ともに安らいでいる時の脳波であるので、α波の増長を促進させると、癒しの効果をより高めることができることが分かっている。
【０００５】
そこで、案出されたのが本考案であって、脳波であるα波を増長する超音波空気清浄機を提供することを目的としている。
【課題を解決するための手段】
【０００６】
本願の請求項１記載の考案は、空気の吸込口と吹出口を有すると共に、内部にファン部材が設置される空気循環装置と、該空気循環装置の内部に設けられると共に、所定の頻度を発生する超音波発生装置とを備えることを特徴とする超音波空気清浄機、
本願の請求項２記載の考案は、超音波発生装置は空気循環装置の交流電圧（１２０Ｖ／２３０Ｖ）を異なる直流電圧（５Ｖ／１２Ｖ）に変換するための降圧及び電圧安定回路と、該降圧及び電圧安定回路から出力する５Ｖの直流電圧と接続すると共に、周期頻度信号を発生する超音波周波発生回路と、夫々該降圧及び電圧安定回路から出力する１２Ｖの直流電圧及び該超音波周波発生回路と接続すると共に、異なる幅を有する頻度信号を発生する超音波発生回路と、該超音波発生回路の出力端と接続すると共に、超音波を発生する超音波発生器とを有することを特徴とする請求項１に記載の超音波空気清浄機、及び、
本願の請求項３記載の考案は、超音波発生装置によって発生する超音波の周波数範囲は３０ＫＨｚ〜６０ＫＨｚであり、又、空気循環装置により循環される空気を清浄化する空気清浄装置を備えていることを特徴とする請求項１又は２に記載の超音波空気清浄機を提供する。
【考案の効果】
【０００７】
本考案は上記の課題を解決するものであり、空気清浄機の内部に脳波であるα波の増長を促進する超音波発生装置を設けることにより、癒しの効果を高めることができる。
【考案を実施するための最良の形態】
【０００８】
以下、添付図面を参照して本考案の好適な実施の形態の例（実施例）を詳細に説明する。尚、下記実施例は、本考案の好適な実施の形態を示したものにすぎず、本考案の技術的範囲は、下記実施例そのものに何ら限定されるものではない。
【０００９】
図１は本考案に係る超音波空気清浄機の斜視図であり、図２は本考案に係る超音波空気清浄機の回路図であり、図３は本考案に係る超音波空気清浄機の出力電圧の波形を示すグラフであり、図４は本考案に係る超音波空気清浄機における超音波発生器の発生周波の強さを示すグラフであり、図５は本考案に係る超音波空気清浄機の他の実施例を示す斜視図である。
【００１０】
図１に示すように、本考案に係る超音波空気清浄機は吸込口（裏面側にあるために、図示せず）と吹出口（１２）を有すると共に、内部にファン部材（図示せず）を設置する空気循環装置（１０）と、該空気循環装置（１０）の内部に設けられると共に、所定の頻度を発生する超音波発生装置（３０）とを備え、頻度の周波数範囲は３０ＫＨｚ〜６０ＫＨｚのほうが望ましい。
【００１１】
また、空気循環装置（１０）の内部には、空気清浄装置（図示せず）が設けられており、この空気清浄装置は、空気循環装置（１０）により循環される空気を濾過して、粉塵を除去するフィルター（図示せず）を備えている。勿論、空気の洗浄方式は、フィルターにより濾過する方式に限られず、他にも、化学的浄化による方式、湿式により分散粒子を分離する方式、重力、慣性力又は遠心力による方式、静電沈下による方式、静電力により分散粒子を分離する方式であっても良い。
【００１２】
図２に示すように、前記超音波発生装置（３０）は空気循環装置（１０）の交流電圧（１２０Ｖ／２３０Ｖ）を異なる直流電圧（５Ｖ／１２Ｖ）に変換するための降圧及び電圧安定回路（３１）と、該降圧及び電圧安定回路（３１）から出力する５Ｖの直流電圧と接続すると共に、周期頻度信号を発生する超音波周波発生回路（３２）と、夫々該降圧及び電圧安定回路（３１）から出力する１２Ｖの直流電圧及び該超音波周波発生回路（３２）と接続すると共に、異なる幅を有する頻度信号を発生する超音波発生回路（３３）と、該超音波発生回路（３３）の出力端と接続すると共に、周波数範囲の３０ＫＨｚ〜６０ＫＨｚの超音波を発生する超音波発生器（３４）とを有する。
【００１３】
前記超音波発生回路（３３）は異なる幅を有する頻度信号を超音波発生器（３４）に伝送するので、超音波発生器（３４）は周波数範囲の３０ＫＨｚ〜６０ＫＨｚの超音波を発生することができる。簡単に言うと、本考案に係る超音波空気清浄機は超音波発生回路（３３）によって周期頻度信号の幅を調整させると共に、超音波発生器（３４）は自然界における約３０ＫＨｚ〜６０ＫＨｚの超音波信号を模擬することにより、脳部のα波の増長を促進することができる。
【００１４】
図３に示すように、これは超音波発生回路（３３）から超音波発生器（３４）に伝送する出力電圧の波形を示すグラフであり、図４に示すように、これが本考案に係る超音波空気清浄機における超音波発生器（３４）は自然界における超音波信号を模擬する超音波の波形を示すグラフである。
【００１５】
又、図５に示すように、本考案の空気循環装置（１０’）はヒーター、クーラー、空気調節装置又は扇風機であっても良い。
【００１６】
又、本考案に係る超音波空気清浄機には、マイナスイオン発生装置を配置すれば、使用者はリラックス状態でマイナスイオンを有する空気を呼吸することにより、健康に役に立つことができる。
【産業上の利用可能性】
【００１７】
本考案は上記の構成を有するので、空気清浄機の内部に脳波であるα波の増長を促進する超音波発生装置を設けることにより、癒しの効果を高めることができる。
【図面の簡単な説明】
【００１８】
【図１】本考案に係る超音波空気清浄機の斜視図である。
【図２】本考案に係る超音波空気清浄機の回路図である。
【図３】本考案に係る超音波空気清浄機の出力電圧の波形を示すグラフである。
【図４】本考案に係る超音波空気清浄機における超音波発生器の発生周波の強さを示すグラフである。
【図５】本考案に係る超音波空気清浄機の他の実施例を示す斜視図である。
【符号の説明】
【００１９】
１０        空気循環装置
１０’      空気循環装置
１２        吹出口
２０        マイナスイオン発生器
３０        超音波発生装置
３１        降圧及び電圧安定回路
３２        超音波周波発生回路
３３        超音波発生回路
３４        超音波発生器
【図１】
0003101475.tif 000003
【図２】
0003101475.tif 000004
【図３】
0003101475.tif 000005
【図４】
0003101475.tif 000006
【図５】
0003101475.tif 000007